(57)【特許請求の範囲】
【請求項１】
音声データの再生時間軸上に削除開始あるいは削除終了となる所定の基準位置を設定し、音声データの、該基準位置から再生時間軸上の前または後を削除する音声データ編集装置であって、
音声データの再生時間軸上に、仮の基準位置を設定する仮設定手段と、
作業者により該仮基準位置よりも再生時間軸上の前を削除することが選択された場合には、前記仮設定手段によって設定された仮基準位置から該仮基準位置より所定時間経過後までの音声データを自動的に所定回数繰り返し再生し、作業者により該仮基準位置よりも再生時間軸上の後を削除することが選択された場合には、該仮設定手段によって設定された仮基準位置より所定時間前から仮基準位置までの音声データを自動的に所定回数繰り返し再生する自動再生手段と、
該自動再生手段による繰り返し再生後に、作業者が前記仮基準位置に基準位置を決定可能な決定手段とを具備することを特徴とする音声データ編集装置。
【請求項２】
音声データの再生時間軸上を音声データの先頭から長短複数段階の設定時間間隔毎に区切った位置の位置データを記憶する記憶手段と、
前記任意の段階の所定の位置データを選択する選択手段と、
該選択手段により選択された位置を前記仮基準位置として、仮基準位置より所定時間前から仮基準位置までの音声データまたは前記仮設定手段によって設定された仮基準位置から該仮基準位置より所定時間経過後までの音声データを自動的に所定回数繰り返し再生する自動再生手段と、
該自動再生手段による繰り返し再生後に、作業者が前記仮基準位置に基準位置を決定可能な決定手段とを具備することを特徴とする請求項１記載の音声データ編集装置。
【請求項３】
前記仮設定された仮基準位置の位置データを表示する表示手段を設けたことを特徴とする請求項１または２記載の音声データ編集装置。
【請求項４】
音声データの再生時間軸上に削除開始あるいは削除終了となる所定の基準位置を設定し、音声データの、該基準位置から再生時間軸上の前または後を削除する音声データ編集方法であって、
前記基準位置を仮に設定し、
作業者が該仮基準位置よりも再生時間軸上の前を削除することを選択した場合には、前記仮設定手段によって設定された仮基準位置から該仮基準位置より所定時間経過後までの音声データを自動的に所定回数繰り返し再生し、作業者が該仮基準位置よりも再生時間軸上の後を削除することを選択した場合には、該仮設定手段によって設定された仮基準位置より所定時間前から仮基準位置までの音声データを自動的に所定回数繰り返し再生し、
該音声データの繰り返し再生後に、前記仮基準位置に基準位置を決定することを特徴とする音声データ編集方法。
【請求項５】
前記仮基準位置を設定する際に、前記音声データの再生時間軸上を音声データの先頭から長短複数段階の設定時間間隔毎に区切った位置のうち、任意の段階の所定位置を前記仮基準位置に設定し、
該仮基準位置より所定時間前から仮基準位置までの音声データまたは仮基準位置から該仮基準位置より所定時間経過後までの音声データを自動的に所定回数繰り返し再生し、
該自動再生手段による繰り返し再生後に、作業者が前記仮基準位置に基準位置を決定し、
前記設定時間間隔のうち前記選択した設定時間間隔よりも短い設定時間間隔を選択して前記仮基準位置を設定し、
自動的に設定時間間隔を徐々に短くして前記仮基準位置を最適位置まで絞り込んで決定することを特徴とする請求項４記載の音声データ編集方法。
【発明の詳細な説明】
【０００１】
【発明の属する技術分野】
本発明は、音声データの再生時間軸上に基準位置を設定し、該基準位置を基準として音声データを編集する音声データ編集装置および音声データ編集方法に関する。
【０００２】
【従来の技術】
ホテル、レストラン、あるいはスーパーマーケットなどにおいては、来客を誘導するための放送案内やメッセージ、あるいはＢＧＭ等を流すために音声データを再生する再生装置が用いられている。
このような再生装置に使用される音声データは、ＣＤ、ＭＤ、メモリカード、ＩＣカードなどの記憶媒体にデジタル信号として記録されている。したがって、繰り返して何度も再生しても音質の劣化もなく、データの編集等も行いやすい。
【０００３】
ところで、図７に示すように、音声データ１０内には、実際の音声部分１１の時間軸上の前後に無音部分１２がある場合が多い。これは、音声データを録音する際にやむを得ず生じてしまうものである。
このような無音部分１２が実際の音声部分１１よりも前にある音声データ１０を再生する場合には、再生スイッチを押したりタイマーによって再生信号が出力されたとしても、実際の音の再生までに間が生じてしまい、迅速な再生が行いにくい。
また、実際の音声部分の後に無音部分があると、音声データの実際の音声部分１１の再生が終了したあとに、しばらく無音の状態が続いたのちに完全に音声出力がオフになるため、耳障りなこともある。
そこで、音声データ１０内の無音部分１２を削除するということが一般的に行われている。
【０００４】
【発明が解決しようとする課題】
音声データ１０内の無音部分１２を正確に削除する際には、削除開始あるいは削除終了となる所定の基準位置ｙの設定を正確に行うことが非常に重要になる。
従来、かかる基準位置ｙを設定する場合には、実際に音声データ１０を再生し、音声を聞きながら音声レベルを確認しつつ、音声データ１０の先頭からの経過時間をもとに行うようにしていた。
しかし、このような方法では、基準位置を設定する場合に何度もデータの再生・早送り・巻き戻し等の操作を繰り返して行わなくてはならず作業が大変である。しかもこのような大変な手間をかけたとしても、作業者の思い通りに設定することは困難であって、基準位置の設定に正確性を欠くという課題がある。
【０００５】
一方、削除する位置の設定で正確性を期そうとするならば、音声データの出力波形をモニタしながら、基準位置を設定すればよい。
しかし、このような方法では、モニタ画面等が必要になり装置が大がかりなものになってしまうといった課題がある。
【０００６】
そこで、本発明は上記課題を解決すべくなされ、その目的とするところは、大がかりな装置を必要とせずに、音声データを削除する際の基準となる基準位置の設定を容易に行うことができる音声データ編集装置および音声データ編集方法を提供することにある。
【０００７】
【課題を解決するための手段】
すなわち、本発明にかかる音声データ編集装置によれば、音声データの再生時間軸上に削除開始あるいは削除終了となる所定の基準位置を設定し、音声データの、該基準位置から再生時間軸上の前または後を削除する音声データ編集装置であって、音声データの再生時間軸上に、仮の基準位置を設定する仮設定手段と、作業者により該仮基準位置よりも再生時間軸上の前を削除することが選択された場合には、前記仮設定手段によって設定された仮基準位置から該仮基準位置より所定時間経過後までの音声データを自動的に所定回数繰り返し再生し、作業者により該仮基準位置よりも再生時間軸上の後を削除することが選択された場合には、該仮設定手段によって設定された仮基準位置より所定時間前から仮基準位置までの音声データを自動的に所定回数繰り返し再生する自動再生手段と、該自動再生手段による繰り返し再生後に、作業者が前記仮基準位置に基準位置を決定可能な決定手段とを具備することを特徴としている。
この構成を採用することによって、まず仮設定手段により仮に設定した位置を仮基準位置としてこの位置での再生データの内容を予め繰り返し聞くことができるので、該仮基準位置の良否を容易に判断でき、簡単な操作で正確に基準位置を決めることができる。
【０００８】
また、音声データの再生時間軸上を音声データの先頭から長短複数段階の設定時間間隔毎に区切った位置の位置データを記憶する記憶手段と、前記任意の段階の所定の位置データを選択する選択手段と、該選択手段により選択された位置を前記仮基準位置として、仮基準位置より所定時間前から仮基準位置までの音声データまたは前記仮設定手段によって設定された仮基準位置から該仮基準位置より所定時間経過後までの音声データを自動的に所定回数繰り返し再生する自動再生手段と、該自動再生手段による繰り返し再生後に、作業者が前記仮基準位置に基準位置を決定可能な決定手段とを具備するようにすれば、徐々に短い間隔の設定時間間隔をもとにして仮基準位置を設定できるので、最終的により正確に基準位置を決定できる。
さらに、前記設定された基準位置の位置データを表示する表示手段を設けたことによれば、基準位置の設定時の手間がさらに省けることになる。
【０００９】
本発明にかかる音声データ編集方法によれば、音声データの再生時間軸上に削除開始あるいは削除終了となる所定の基準位置を設定し、音声データの、該基準位置から再生時間軸上の前または後を削除する音声データ編集方法であって、前記基準位置を仮に設定し、作業者が該仮基準位置よりも再生時間軸上の前を削除することを選択した場合には、前記仮設定手段によって設定された仮基準位置から該仮基準位置より所定時間経過後までの音声データを自動的に所定回数繰り返し再生し、作業者が該仮基準位置よりも再生時間軸上の後を削除することを選択した場合には、該仮設定手段によって設定された仮基準位置より所定時間前から仮基準位置までの音声データを自動的に所定回数繰り返し再生し、該音声データの繰り返し再生後に、前記仮基準位置に基準位置を決定することを特徴とする。
この方法によれば、仮基準位置の良否を容易に判断でき、最終的な基準位置の決定が容易である。
また、前記仮基準位置を設定する際に、前記音声データの再生時間軸上を音声データの先頭から長短複数段階の設定時間間隔毎に区切った位置のうち、任意の段階の所定位置を前記仮基準位置に設定し、該仮基準位置より所定時間前から仮基準位置までの音声データまたは仮基準位置から該仮基準位置より所定時間経過後までの音声データを自動的に所定回数繰り返し再生し、該自動再生手段による繰り返し再生後に、作業者が前記仮基準位置に基準位置を決定し、前記設定時間間隔のうち前記選択した設定時間間隔よりも短い設定時間間隔を選択して前記仮基準位置を設定し、自動的に設定時間間隔を徐々に短くして前記仮基準位置を最適位置まで絞り込んでことによれば、基準位置の設定をさらに正確に行うことが可能となる。
【００１０】
【発明の実施の形態】
以下、本発明の好適な実施の形態を添付図面に基づいて詳細に説明する。図１に音声データ編集の概念、図２および図３に音声データを編集する編集方法の説明図を示す。
まず、図１に基づいて音声データ編集の概略を説明する。
従来の技術で説明したように、音声データ１０に含まれる無音部分１２を削除する場合には、無音部分１２と実際の音声部分１１との境界部を正確に測ることが重要である（図７）。
本発明では、無音部分１２と実際の音声部分１１との間に、まず基準位置を設定決める前に仮の基準位置である仮基準位置ｘを設定し、この仮基準位置ｘよりも、再生時間軸上前かあるいは再生時間軸上後を削除する場合に、仮基準位置ｘを中心に削除する側と反対の側の音声データを、自動的に所定時間（ここでは３秒間）複数回繰り返して再生することで、実際に削除する前に予め音声データがどのようになるか確認し、基準位置の決定が容易にできるというものである。
【００１１】
すなわち、図１の（ａ）では、音声データ１０の再生時間軸ｔ上の所定の位置を仮基準位置ｘに設定し、仮基準位置ｘよりも時間的に前を削除する場合、仮基準位置から仮基準位置より３秒間経過後の音声データを自動的に複数回繰り返して再生することを示している。
また、図１の（ｂ）では、音声データ１０の再生時間軸ｔ上の所定の位置を仮基準位置ｘに設定し、仮基準位置ｘよりも時間的に後を削除する場合、仮基準位置から３秒前から仮基準位置までの音声データを自動的に複数回繰り返して再生することを示している。
【００１２】
また、本発明の編集方法では、図２および図３に示すように、仮基準位置ｘを所定位置に設定する際に、設定の基準となるように音声データを再生時間軸上の先頭から所定単位の設定時間間隔毎に区切り、区切った位置を基準として仮基準位置を設定していき、徐々にこの設定時間間隔を短くして仮基準位置を細かく絞り込んで、より正確な基準位置を決めようとするものでもある。
以下、図２と図３によりこの編集方法について説明する。
【００１３】
すなわち、編集すべき音声データは、その全体のデータ長に基づいて全体を所定の単位時間間隔で区切られる（図３）。ただし、実際にデータが区切られる訳ではなく、作業の際に見かけ上区切られているように見えるだけである。つまり、再生時間軸上に、時間、分、秒、フレーム等所定の間隔で区切った場合の位置データが予め後述する記憶手段に内に記憶されているのであって、この位置データに基づいて仮基準位置を設定するのである。
まず、音声データ全体のデータ長を測定し、このデータ長に基づいて、最初に時間単位の設定間隔で基準位置を設定するか（ａ）、分単位の設定間隔で基準位置を設定するか（ｂ）、秒単位の設定間隔で基準位置を設定するか（ｃ）が判断される。
【００１４】
具体的には、図２の破線部内に示したように、測定されたデータ長が１時間以上である場合には最初の設定時間間隔として１時間を選び、データ長が１分から６０分までの間であれば最初の設定時間間隔として１分を選び、データ長が１秒から１分の間である場合には、最初の設定時間間隔として１秒が選ばれるのである。これは音声データ編集する音声データ編集装置が自動的に選ぶようにしている。
【００１５】
以下、図面上での説明から「データを区切る」という表現を用いるが、上述したように実際にデータを区切るわけではなく、記憶手段内に予め記憶されている時間間隔の位置データに音声データを当てはめて仮基準位置を設定していくのである。
たとえば、図２のＡのように、全体のデータ長が１時間以上の場合には、まず時間単位で音声データが区切られる（図３の（ａ））。
そして、時間単位で区切った位置のうち所定の位置を仮基準位置ｘとして選択した場合、その選択した仮基準位置で図１に示したような音声データの繰り返し再生が行われる。
繰り返し再生を聞いたデータ編集の作業者は、この位置を基準位置として決めてよいかどうかを判断する。違う位置に設定すべきと判断するのであれば時間単位で区切った位置のうち別の位置を仮基準位置ｘとして選択する。仮基準位置は何度でも選択でき、その都度繰り返し再生が行われる。そして、繰り返し再生を聞いた結果、この仮基準位置ｘでよければこの位置を基準位置に決定する。
【００１６】
そして、時間単位での基準位置が決まったら、この時間単位で決まった基準位置を中心として分単位で音声データが区切られるのである（図３の（ｂ））。そして、仮基準位置ｘを分単位で区切った所定の位置に選択することにより、その選択した位置で図１に示したような音声データの繰り返し再生が行われる。
繰り返し再生を聞いたデータ編集の作業者は、この仮基準位置を基準位置として決めてよいかどうかを判断する。違う位置に設定すべきと判断するのであれば分単位で区切った位置のうち別の位置を仮基準位置ｘとして選択し、この位置でよければこの位置を基準位置に決定する。
【００１７】
そして、分単位での基準位置が決まったら、この分単位で決まった基準位置を中心として秒単位で音声データが区切られるのである（図３の（ｃ））。そして、基準位置を秒単位で区切った所定の位置に選択することにより、その選択した位置で図１に示したような音声データの繰り返し再生が行われる。
繰り返し再生を聞いたデータ編集の作業者は、この仮基準位置を基準位置として決めてよいかどうかを判断する。違う位置に設定すべきと判断するのであれば秒単位で区切った位置のうち別の位置を仮基準位置ｘとして選択し、この位置でよければこの位置を基準位置に決定する。
【００１８】
最終的に、設定時間間隔での音声データの分割は、フレーム単位まで行われる。フレームとは、音声データを１回にエンコードまたはデコードする単位をいい、ここでは１／２０秒（０．０５秒）を１フレームとしている。
つまり、秒単位での基準位置が決まったら、この秒単位で決まった基準位置を中心としてフレーム単位で音声データが区切られるのである（図３の（ｄ））。そして、フレーム単位で区切った所定の位置を仮基準位置として選択することにより、その選択した位置で図１に示したような音声データの繰り返し再生が行われる。
この繰り返し再生を聞いた作業者は、最終的にこの仮基準位置を基準位置としてよいかどうかを判断し、違う位置に設定すべきと判断するのであればフレーム単位で区切った位置のうち別の位置を仮基準位置ｘとして選択し、よければこの位置を基準位置に決定する。
基準位置の設定は最終的にフレーム単位で行われたら終了する。
このように、フレーム単位まで基準位置の設定が絞り込まれて行われるので正確に基準位置が決定できる。
【００１９】
上述したような、仮基準位置を設定時の設定時間間隔ごとの分割を徐々に短い時間に区切って絞り込んでいくのは、音声データ編集装置が自動的に行うようにしている。
また、複数段階の設定時間間隔の分割はフレーム単位まで必ず行われるようにしている。
【００２０】
次に、本発明の音声データ編集装置について、図４、図５に基づいて説明する。図４は編集装置の概略の構成を示すブロック図、図５は作業者が扱う操作パネルの一例を示している。
なお、ここで説明する音声データ編集装置３０としては、編集機能のみから成る装置ではなく、記憶媒体内のデータを再生する再生機能、記憶媒体内にデータを書き込む録音機能等も備えた、一般的な音声再生装置に音声編集機能を具備している装置である。
【００２１】
３２は記憶媒体であって、編集すべき音声データが記憶されている。記憶媒体３２としてはＣＤ、メモリカード、ＩＣカード等が用いられている。
入力手段３４は、図５に示すようなダイヤル２４、決定スイッチ２２、取消スイッチ２６を含め、ほかにもキーボードや、操作スイッチが考えられる。
このような入力手段３４により、編集する音声データの選択、基準位置の選択、これらの決定、これらの取り消し等のデータ編集に係る作業を後述する制御手段に指示することができる。
【００２２】
読取手段３６は、記憶媒体３２から音声データを読み出す構成要素であって、記憶媒体３２がＣＤであれば光ピックアップ、記憶媒体３２がメモリカード・ＩＣカード等であれば入力インターフェイス回路がこの読取手段３６に該当する。
表示手段３８は、図５に示すような７セグメント表示手段を用いれば簡単な構成で済む。表示手段３８には、現在設定されている基準位置が表示される。
【００２３】
読取手段３６によって読み出された音声データは、半導体メモリ等から成る記憶手段４０にいったん記憶される。
入力手段３４から入力された、仮基準位置を選択する際の選択指示信号等は制御手段４２に入力される。制御手段４２は、特許請求の範囲にいう仮設定手段、自動再生手段、選択手段、決定手段等から成ると共に、マイクロコンピュータなどから構成されている。なお、選択手段、決定手段は入力手段３４と制御手段４２との組み合わせによって成る。
【００２４】
そして、制御手段４２は入力手段３４からの指示に基づいて自動再生手段を介して記憶手段４０内の音声データを、設定された仮基準位置から所定時間だけ、再生手段４６を介してスピーカ４８から繰り返し出力する。なお、自動再生手段は再生手段４６と、音声データが記憶されている記憶手段４０、これらを制御する制御手段４２等から成る。
作業者が決定スイッチ２２を押下して仮基準位置を基準位置に決定した場合には、制御手段４２は、記憶手段４０内の音声データ先頭からの設定時間間隔をさらに短くして音声データを区切り、作業者の設定による仮基準位置で音声データを自動再生する。
最終的にフレーム単位で基準位置を絞り込んだら、基準位置が決定された音声データは、決定した基準位置から再生時間軸上の前または後を削除される。
そして削除された音声データは、書込手段５０を介して記憶媒体３２に記録される。
【００２５】
次に、図６に本発明の音声データ編集方法を説明するフローチャートを示し、これに基づいて、音声データ編集装置を用いた音声データ編集方法についてさらに詳細に説明する。
まず、ステップＳ１０２において、音声データが複数ある場合にはそれらの音声データの中から編集する音声データを選択する。
続いて、Ｓ１０４およびＳ１０６では、選択された音声データのデータ長を測定し、基準位置の選定に用いられる音声データを区切る、データ長に対応した長さの設定時間間隔を選択する。
【００２６】
次に、Ｓ１０８において音声データの上で設定可能な基準位置から再生時間軸上前の部分を削除するか、後の部分を削除するかを選択する。
基準位置よりも前を削除するのであればＳ１１０へ移行し、基準位置よりも後を削除するのであればＳ１１１へ移行する。
【００２７】
Ｓ１１０へ移行した場合について説明する。
Ｓ１１０では、Ｓ１０６で選択された単位時間によって区切られた音声データにおいて、単位時間のどこに仮の基準位置を設定するかを選択する。
そしてＳ１１２においては、Ｓ１１０で設定した仮基準位置からの音声データを３秒間再生する。この３秒間の再生は３回連続して繰り返される。
【００２８】
Ｓ１１０とＳ１１２の動作について具体的に説明する。
まず、Ｓ１１０では、図５の表示手段３８に、図３に示した「０Ｈ」〜「２Ｈ」のいずれかの表示がでる。この表示は、ダイヤル２４を回すことによって「０Ｈ」〜「２Ｈ」のいずれかを選択して表示させることができる。
そして、ダイヤル２４を回し、たとえば「１Ｈ」の表示を出せば、この表示がでた時点で、音声データの先頭から２時間経過後から２時間３秒経過後までの３秒間のデータを、３回繰り返し再生する（図３（ａ）のＰ）。
【００２９】
Ｓ１１４では、Ｓ１１０で設定された仮基準位置でよいか否かを再生データを聞いた結果、作業者が判断してこの仮基準位置を基準位置にするか否かを決定する。
つまり、Ｓ１１０で設定された仮基準位置ｘでは音声部分１１が切れてしまっていたり、あるいは無音部分１２が残っているようであれば再度仮基準位置ｘを設定する必要があるためである。
そして、Ｓ１１０で設定された位置でよいと判断された場合には、作業者が決定スイッチ２２を押下することにより、基準位置が決定してＳ１１６へ移行する。
もう一度、違う位置に仮設定する場合にはＳ１１０へ戻って再度ダイヤル２４を回し、音声データを聞くことができる。このように、正確な基準位置を決定するまで、同一の設定時間間隔内で、Ｓ１１０〜Ｓ１１４は何度も繰り返すことができる。
【００３０】
Ｓ１１６では、基準位置の設定がフレーム単位まで終了しているか否かを検出し、フレーム単位まで設定が終了していればＳ１２０へ移行し、終了していなければＳ１１８へ移行して次の設定時間間隔を設定するのである。
具体的には、たとえば図２の「２Ｈ」で決定スイッチ２２を押下して基準位置を決定した後、次に分単位での仮基準位置の設定があるので、Ｓ１１０に戻って、音声データの先頭から２時間を中心に分単位の設定をするのである。
【００３１】
分単位の設定のためにＳ１１０へ戻った場合について説明する。
Ｓ１１０，Ｓ１１２において、表示手段２０に表示される数字は、先の設定時間間隔で決定した基準位置（ここでは音声データの先頭から２時間の位置に設定したとする）を中心としているため、音声データの先頭から２時間の位置を「００」と表示し、先頭から２時間１分後を「０１」と表示する。
【００３２】
そして、ダイヤル２４を回し、たとえば「５９」の表示を出せば、この表示がでた時点で、音声データの先頭から１時間５９分経過後の３秒間のデータを、３回繰り返し再生する（図３（ｂ）のＱ）。
Ｓ１１４では、Ｓ１１０で設定された仮基準位置でよいか否かを再生データを聞いた結果、作業者が判断するのである。
以下、秒単位での基準位置の設定、フレーム単位での基準位置の設定は省略する。
【００３３】
そして、フレーム単位まで基準位置の設定が終了していればＳ１２０へ移行して、実際に決定された位置を基準位置とし、基準位置よりも先の音声データを削除する。
そして、基準位置より先が削除された音声データは、Ｓ１２２において記憶媒体に書き込まれ、一連の音声データ編集作業が終了するのである。
【００３４】
なお、Ｓ１０８で基準位置よりも後の音声データを削除することを選択してＳ１１１へ移行した場合であっても、Ｓ１１０へ移行して基準位置よりも先のデータを削除する場合と基本的な基準位置の設定動作は同じである。
ただ、Ｓ１１３で、音声データの再生が選択している基準位置より３秒前から基準位置までが３回繰り返し再生される点が異なるだけである。
【００３５】
そして、Ｓ１１１で選択された仮基準位置でよいか否かを決定するＳ１１５での動作もＳ１１４と同様である。そしてＳ１１７、Ｓ１１９を経て徐々に短い設定時間間隔で基準位置を決定して、最終的にはフレーム単位での時間間隔まで決定する。
フレーム単位まで基準位置が決定されたら、Ｓ１３０において基準位置よりも後の音声データを削除する。
削除後の音声データは、Ｓ１２２において記憶媒体に書き込まれる。
【００３６】
なお、図５に示した取消スイッチ２６を押下することで、現在設定中の設定時間間隔よりも前の設定時間間隔に戻り、前の時間間隔での基準位置の決定をやり直して再度別の位置に決定する事も可能である（図２の矢印のような工程を経る。）。
【００３７】
また、単位時間の表示等を行う表示手段２０としては７セグメント表示手段を用いれば簡単な構成で音声データの編集が行えるので好適であるが、表示部としては７セグメント表示手段に限定されることはない。
【００３８】
また、基準位置をダイヤル２４で設定した際に、再生する音声データはＳ１１４，Ｓ１１５においては仮基準位置からそれぞれ３秒前からと３秒後までであった。しかし、この再生時間を調整可能にするようにしてもよい。このようにすれば、操作する者にとっては再生時間を短くでき、さらに迅速な音声データの編集ができる。
【００３９】
さらに、上述してきた音声データ編集装置、音声データ編集方法は、音声データ上の無音部分を削除するために用いられる旨を説明してきたが、本発明の編集装置、編集方法はこれに限定するものではない。
【００４０】
以上本発明につき好適な実施例を挙げて種々説明したが、本発明はこの実施例に限定されるものではなく、発明の精神を逸脱しない範囲内で多くの改変を施し得るのはもちろんである。
【００４１】
【発明の効果】
本発明に係る音声データ編集装置によれば、音声データの再生時間軸上に、仮の基準位置を設定する仮設定手段と、仮基準位置よりも再生時間軸上の前を削除する場合には、仮基準位置から該仮基準位置より所定時間経過後までの音声データを自動的に所定回数繰り返し再生し、仮基準位置よりも再生時間軸上の後を削除する場合には、仮基準位置より所定時間前から仮基準位置までの音声データを自動的に所定回数繰り返し再生しする自動再生手段と、自動再生手段による繰り返し再生後に、作業者が前記仮基準位置に基準位置を決定可能な決定手段とを具備するので、仮基準位置を中心に削除する側と反対側の音声データを自動的に複数回繰り返して再生することで、実際に削除する前に予め音声データがどのようになるか確認することができる。したがって、該仮基準位置の良否を容易に判断でき、簡単な操作で正確に基準位置を決めることができる。
【図面の簡単な説明】
【図１】音声データの編集の概念について説明する説明図である。
【図２】本発明に係る音声データ編集方法について説明する説明図である。
【図３】図２に示した仮基準位置の設定において、設定時間間隔ごとでの仮基準位置での設定を説明するための説明図である。
【図４】本発明の音声データ編集装置の構成を示すブロック図である。
【図５】操作パネルを説明するための説明図である。
【図６】音声データ編集方法の実施形態を示すフローチャートである。
【図７】音声データの波形を示す説明図である。
【符号の説明】
２０  表示手段
２２  決定スイッチ
２４  ダイヤル
２６  取消スイッチ
３０  音声データ編集装置
３２  記憶媒体
３４  入力手段
３６  読取手段
３８  表示手段
４０  記憶手段
４２  制御手段
４６  再生手段
４８  スピーカ
５０  書込手段
【図１】
0003625044.tif 000002
【図２】
0003625044.tif 000003
【図３】
0003625044.tif 000004
【図４】
0003625044.tif 000005
【図５】
0003625044.tif 000006
【図６】
0003625044.tif 000007
【図７】
0003625044.tif 000008